(57)【要約】【課題】長手方向を有する対象物の端部を衝撃から確実に保護でき、かつコンパクトな包装材を提供する。【解決手段】包装材２は、長手方向を有する対象物（製品１）を包装する、シートにより形成された包装材である。包装材２は、シートを折り曲げて形成された緩衝部１１ａ，１１ｂ，１１ｃ，１１ｄを備える。緩衝部１１ａ，１１ｂ，１１ｃ，１１ｄは、対象物の端部に接する端面を有する。上記長手方向に対して垂直な断面において、緩衝部１１ａ，１１ｂ，１１ｃ，１１ｄは、対象物の端部の輪郭の内側にて輪郭の線に並行する並行部（緩衝部１１ｂ，１１ｃ）を有する。【選択図】図７
2019182514.tif 000002
【特許請求の範囲】
【請求項１】
長手方向を有する対象物を包装する、シートにより形成された包装材であって、
前記シートを折り曲げて形成された緩衝部を備え、
前記緩衝部は、前記対象物の端部に接する端面を有し、
前記長手方向に対して垂直な断面において、前記緩衝部は、前記対象物の前記端部の輪郭の内側にて前記輪郭の線に並行する並行部を有する包装材。
【請求項２】
前記断面において、前記緩衝部は、多角形の輪郭を有する請求項１に記載の包装材。
【請求項３】
前記断面において、前記緩衝部は、三角形の輪郭を有する請求項１に記載の包装材。
【請求項４】
前記緩衝部を形成する前記シートに相当する段ボールのフルートの溝は、前記長手方向に沿って延びる請求項１から請求項３のいずれか一項に記載の包装材。
【請求項５】
前記断面において、前記緩衝部の全体が前記対象物の前記端部の前記輪郭の内側にある請求項１から請求項４のいずれか一項に記載の包装材。
【請求項６】
前記対象物の前記端部の前記輪郭は、第一方向に沿って延びる第一部分と、前記第一方向とは異なる第二方向に沿って延びる第二部分とを有し、
前記並行部は、前記第一部分に並行する第一並行部と、前記第二部分に並行する第二並行部とを有する請求項１から請求項５のいずれか一項に記載の包装材。
【請求項７】
前記緩衝部のうちの前記並行部以外の部分は非並行部であり、
前記断面において、前記並行部の全長が前記非並行部の全長よりも長い請求項１から請求項６のいずれか一項に記載の包装材。
【請求項８】
前記断面において、前記対象物の前記端部の前記輪郭の全長の５０％以上の部分に対して前記並行部が並行している請求項１から請求項７のいずれか一項に記載の包装材。
【請求項９】
前記対象物が照明器具である請求項１から請求項８のいずれか一項に記載の包装材。
【発明の詳細な説明】
【技術分野】
【０００１】
本発明は、包装材に関する。
【背景技術】
【０００２】
下記特許文献１は、直管形照明灯を包装する包装装置を開示する。当該包装装置は、直管形照明灯の管体部分を覆う本体保護部と、管体部分の両端部に突出した端子部を保護する端子保護部とを有する。端子保護部は、段ボールを折り曲げた折り曲げ片により形成されている。
【先行技術文献】
【特許文献】
【０００３】
【特許文献１】特開２０１２−４１０７９号公報
【発明の概要】
【発明が解決しようとする課題】
【０００４】
直管形照明灯のような、長尺な製品を包装した包装材を縦にして持ち運んでいるときに、誤って落下させてしまう場合がある。その場合、包装材の長手方向の端部が地面に衝突する。長尺な製品は相応の重量を有する。これに対し、包装材の長手方向の端部の面積は小さい。このため、長手方向に沿って落下した包装材の端部が地面に衝突すると、包装材の端部に大きな衝撃が加わる。特許文献１の発明では、そのような大きな衝撃が加わると、端子保護部が大きく変形し、直管形照明灯の端部が地面に衝突して破損する可能性がある。そのような破損を防止するためには、上記長手方向についての端子保護部の長さを十分に長くしなければならないので、包装材のサイズが大きくなるというデメリットがある。
【０００５】
本発明は、上述のような課題を解決するためになされたもので、長手方向を有する対象物の端部を衝撃から確実に保護でき、かつコンパクトな包装材を提供することを目的とする。
【課題を解決するための手段】
【０００６】
本発明に係る包装材は、長手方向を有する対象物を包装する、シートにより形成された包装材であって、シートを折り曲げて形成された緩衝部を備え、緩衝部は、対象物の端部に接する端面を有し、長手方向に対して垂直な断面において、緩衝部は、対象物の端部の輪郭の内側にて輪郭の線に並行する並行部を有するものである。
【発明の効果】
【０００７】
本発明によれば、長手方向を有する対象物の端部を衝撃から確実に保護でき、かつコンパクトな包装材を提供することが可能となる。
【図面の簡単な説明】
【０００８】
【図１】実施の形態１による包装材と、製品とを示す斜視図である。
【図２】図１中の包装材の一部を拡大した斜視図である。
【図３】実施の形態１による包装材の組立ての手順を説明するための斜視図である。
【図４】実施の形態１による包装材の組立ての手順を説明するための斜視図である。
【図５】実施の形態１による包装材の組立ての手順を説明するための斜視図である。
【図６】図１中の製品を長手方向に平行な方向から見た図である。
【図７】実施の形態１による包装材を組立てた状態において、長手方向に対して垂直な平面で、緩衝部の位置で切断した断面図である。
【発明を実施するための形態】
【０００９】
以下、図面を参照して実施の形態について説明する。各図において共通または対応する要素には、同一の符号を付して、重複する説明を簡略化または省略する。
【００１０】
実施の形態１．
図１は、実施の形態１による包装材２と、製品１とを示す斜視図である。製品１は、包装材２により包装される対象物に相当する。本実施の形態における製品１は、照明器具である。製品１は、長尺の形状、すなわち細長い形状を有する。製品１の長手方向に対して垂直な平面で製品１を切断した断面の輪郭は、台形に近い形状である。
【００１１】
包装材２は、シートにより形成されている。包装材２を形成するシートは、例えば、紙製またはプラスチック製の段ボールでもよい。本実施の形態では、包装材２は、１枚の段ボールシートで形成されている。図１は、包装材２を展開した状態、すなわち包装材２で製品１を包装する前の状態を示している。包装材２は、長方形の土台部３を有する。土台部３の上に製品１が載置される。
【００１２】
以下の説明では、単に「長手方向」と記した場合には、特に断らない限り、製品１及び土台部３の長手方向を意味するものとする。また、以下の説明では、長手方向に対して垂直で、かつ土台部３に平行な方向を「短手方向」と称する。包装材２を形成する段ボールシートのフルートの溝は、長手方向に対して平行である。
【００１３】
本実施の形態における包装材２の形状は、長手方向の中央を介して対称である。このため、以下では、包装材２の長手方向の片側のみを説明する。また、本実施の形態における包装材２の形状は、短手方向の中央を介して対称である。このため、以下では、包装材２の短手方向の片側のみを説明する。
【００１４】
図２は、図１中の包装材２の一部を拡大した斜視図である。包装材２は、側面部４及び上面部５をさらに備える。側面部４は、土台部３の長辺に対して罫線１００を介してつながっている。上面部５は、罫線１００とは反対側の側面部４の長辺に対して罫線１０１を介してつながっている。上面部５の短辺の寸法は、土台部３の短辺の寸法のほぼ半分である。
【００１５】
包装材２は、縦壁部１０、緩衝部１１ａ，１１ｂ，１１ｃ，１１ｄ、保護部２０、及び支持片２１をさらに備える。縦壁部１０は、土台部３の短辺に対して罫線１０２を介してつながっている。保護部２０は、罫線１０２とは反対側の縦壁部１０の辺に対して罫線１０３を介してつながっている。罫線１０３は、罫線１０２よりも短い。緩衝部１１ａは、保護部２０に対して罫線１０４ａを介してつながっている。緩衝部１１ｂは、罫線１０４ａとは反対側の緩衝部１１ａの辺に対して、罫線１０４ｂを介してつながっている。緩衝部１１ｃは、罫線１０４ｂとは反対側の緩衝部１１ｂの辺に対して、罫線１０４ｃを介してつながっている。緩衝部１１ｄは、罫線１０４ｃとは反対側の緩衝部１１ｃの辺に対して、罫線１０４ｄを介してつながっている。罫線１０４ａ，１０４ｂ，１０４ｃ，１０４ｄは、長手方向に対して平行である。
【００１６】
保護部２０の短辺のうち、罫線１０４ａが形成されていない箇所には、罫線１０５を介して支持片２１がつながっている。緩衝部１１ａ，１１ｂ，１１ｃ，１１ｄ及び支持片２１は、短手方向の中央を介して対称となるように両側に設けられている。
【００１７】
縦壁部１０と、緩衝部１１ａ，１１ｂとの間は、短手方向に平行な切り込み１０６を境に分かれている。緩衝部１１ａ，１１ｂ，１１ｃと、保護部２０及び支持片２１との間は、短手方向に平行な切り込み１０７を境に分かれている。
【００１８】
図３、図４、及び図５は、実施の形態１による包装材２の組立ての手順を説明するための斜視図である。以下、これらの図を参照して、包装材２の組立ての手順を説明する。まず、製品１を土台部３の上に置き、罫線１００を折り曲げ、側面部４を立ち上げる。このとき、製品１を置く位置の目印として、土台部３に罫線または印刷などにより目印を設けておくとよい。
【００１９】
次に、罫線１０２を折り曲げ、縦壁部１０を立ち上げる。次に、保護部２０が製品１の上面に沿うように、罫線１０３を折り曲げる。次に、支持片２１が土台部３及び保護部２０に対して垂直になるように、罫線１０５を折り曲げる。次に、緩衝部１１ａが土台部３及び保護部２０に対して垂直になるように、罫線１０４ａを折り曲げる。次に、罫線１０４ａの折り曲げ方向とは反対方向に罫線１０４ｂを折り曲げる。図３は、ここまで組立てた状態を表している。なお、図３では、見やすくするために、製品１、側面部４及び上面部５の図示を省略している。
【００２０】
図３の状態から、罫線１０４ｃ及び罫線１０４ｄを、罫線１０４ａの折り曲げ方向とは反対方向に折り曲げると、図４に示す状態となる。なお、図４では、見やすくするために、縦壁部１０の一部と、側面部４及び上面部５の図示を省略している。
【００２１】
最後に、図５に示すように、上面部５が製品１の上面を覆う状態となるように、罫線１０１を折り曲げる。一対の上面部５により、製品１の上面の全体が覆われる。一対の上面部５の間の継ぎ目をテープ等で固定することで包装材２の組立てが完成となる。
【００２２】
図６は、図１中の製品１を長手方向に平行な方向から見た図である。図６に示すように、製品１は、製品端面６を有する。製品端面６は、製品１の長手方向の端部に相当する。本実施の形態における製品端面６の輪郭の形状は、台形に近い六角形である。製品端面６の少なくとも一部は、長手方向に対して垂直な平面である。製品端面６の中央部分は、製品端面６の他の部分よりも強度の低い低強度部７となる。図６では、分かりやすくするため、低強度部７に斜線のハッチングを付している。このハッチングは、断面を示したものではない。
【００２３】
製品１は、製品端面６の輪郭の位置から図６の紙面に対して垂直な方向へ延びる外壁部を有する。製品端面６に対して外力が加えられると、当該外壁部がその外力を受ける。製品端面６の輪郭に近い位置は、当該外壁部に近いので、外力に対する強度が比較的高い。これに対し、低強度部７は、当該外壁部から離れているので、外力に対する強度が比較的低い。外力に対する製品端面６の強度は、その輪郭に近い位置ほど、高いと言える。
【００２４】
本実施の形態では、製品端面６の輪郭は、短手方向の中央を介して対称な形状を有する。製品端面６の輪郭の線は、第一部分８、第二部分９、第三部分１２、及び第四部分１３を有する。第一部分８及び第三部分１２は、短手方向に対して平行である。包装材２を組立てた状態では、第一部分８が土台部３に接し、第三部分１２が保護部２０に接する。第二部分９及び第四部分１３は、短手方向の中央を介して両側にそれぞれ形成されている。第四部分１３は、第一部分８の両端から、第一部分８に対して垂直な方向へ延びる。第二部分９は、第一部分８及び第三部分１２に対して傾斜している。第二部分９は、第三部分１２の端部と第四部分１３の端部との間をつなぐ。第一部分８は、第一方向に沿って延びる部分に相当する。第二部分９は、第一方向とは異なる第二方向に沿って延びる部分に相当する。
【００２５】
図７は、実施の形態１による包装材２を組立てた状態において、長手方向に対して垂直な平面で、緩衝部１１ａ，１１ｂ，１１ｃ，１１ｄの位置で切断した断面図である。図７では、土台部３、側面部４及び上面部５の図示を省略している。
【００２６】
図７に示すように、包装材２を組立てた状態では、以下のようになる。緩衝部１１ａは、土台部３及び保護部２０に対して垂直になる。緩衝部１１ｂは、土台部３に対して平行に重なる。緩衝部１１ｃは、土台部３及び保護部２０に対して斜めになる。罫線１０４ｄの位置は、罫線１０４ａの位置とほぼ同じ位置になる。緩衝部１１ｄは、緩衝部１１ａに平行に接する。緩衝部１１ｄは、全体的に緩衝部１１ａに重なる。
【００２７】
緩衝部１１ａ，１１ｂ，１１ｃ，１１ｄは、製品端面６と縦壁部１０との間に配置される。緩衝部１１ａ，１１ｂ，１１ｃ，１１ｄの一方の端面は、製品端面６に接する。緩衝部１１ａ，１１ｂ，１１ｃ，１１ｄの他方の端面は、縦壁部１０に接する。緩衝部１１ａ，１１ｂ，１１ｃ，１１ｄの各々の面は、長手方向に対して平行になる。
【００２８】
図７において、緩衝部１１ｂは、製品端面６の輪郭の内側にて第一部分８に並行する並行部に相当しており、緩衝部１１ｃは、製品端面６の輪郭の内側にて第二部分９に並行する並行部に相当する。
【００２９】
製品１を包装した包装材２を縦にして持ち運んでいるときに、誤って落下させてしまう場合がある。その場合、以下のようになる。包装材２の長手方向の端部に相当する縦壁部１０が地面に衝突する。長尺な製品１は相応の重量を有する。これに対し、包装材２の縦壁部１０の面積は小さい。このため、長手方向に沿って落下した包装材２の縦壁部１０が地面に衝突すると、包装材２の縦壁部１０に大きな衝撃が加わる。緩衝部１１ａ，１１ｂ，１１ｃ，１１ｄは、製品端面６と縦壁部１０との間で圧縮され、変形する。緩衝部１１ａ，１１ｂ，１１ｃ，１１ｄが衝撃を吸収することで、製品１を確実に保護することができる。
【００３０】
製品端面６の輪郭の線に相当する第一部分８及び第二部分９に近い部分は、製品端面６の中でも強度が高い。本実施の形態であれば、そのような第一部分８及び第二部分９に並行する緩衝部１１ｂ及び緩衝部１１ｃを備えたことで、落下時の衝撃をより確実に吸収することができる。このため、製品１をより確実に保護することができる。緩衝部１１ａ，１１ｂ，１１ｃ，１１ｄの、長手方向についての寸法をそれほど大きくしなくても、落下時の衝撃を十分に吸収できる。このため、本実施の形態であれば、包装材２の長手方向についての寸法をコンパクトにする上で有利になる。
【００３１】
本実施の形態において、緩衝部１１ｂは、第一方向に沿って延びる第一部分８に並行する第一並行部に相当し、緩衝部１１ｃは、第一方向とは異なる第二方向に沿って延びる第二部分９に並行する第二並行部に相当する。本実施の形態であれば、このような第一並行部及び第二並行部を備えたことで、上述した効果をさらに顕著に発揮することが可能となる。
【００３２】
緩衝部１１ａ，１１ｂ，１１ｃ，１１ｄのうちの並行部以外の部分を「非並行部」と称する。緩衝部１１ａ及び緩衝部１１ｄは、非並行部に相当する。図７において、並行部に相当する緩衝部１１ｂ及び緩衝部１１ｃの全長は、非並行部に相当する緩衝部１１ａ及び緩衝部１１ｄの全長よりも長い。このように、並行部の全長が非並行部の全長よりも長い場合には、上述した効果をさらに顕著に発揮することが可能となる。
【００３３】
図７において、製品端面６の輪郭のうち、第一部分８の半分以上の部分に対して緩衝部１１ｂが並行しており、第二部分９のほぼ全体に対して緩衝部１１ｃが並行している。このような本実施の形態では、製品端面６の輪郭の全長の５０％以上の部分に対して、並行部に相当する緩衝部１１ｂ及び緩衝部１１ｃが並行している。このような構成によれば、製品端面６のうち、強度の高い部位の面積をより多く活用して衝撃を吸収できるので、上述した効果をさらに顕著に発揮することが可能となる。
【００３４】
本実施の形態では、緩衝部１１ｂは第一部分８に対して平行に延びているのに対して、緩衝部１１ｃは第二部分９に対してやや斜めになっている。この緩衝部１１ｃのように、並行部は、製品端面６の輪郭の線に対して完全に平行でなくてもよい。図７中の角度αは、緩衝部１１ｃと第二部分９との間の角度（劣角）であり、並行部と、製品端面６の輪郭の線との間の角度に相当する。並行部と、製品端面６の輪郭の線との間の角度αは、３０°以下が好ましく、２０°以下がより好ましく、１０°以下がさらに好ましい。なお、並行部と、製品端面６の輪郭の線との少なくとも一方が曲線である場合には、それらの接線の角度として角度αを計算すればよい。
【００３５】
製品端面６の強度は、輪郭の線から遠くなるほど低下すると考えられる。このため、図７のようにして見たときに、並行部と、製品端面６の輪郭の線との距離は、なるべく小さいことが望ましい。この観点から、並行部の厚さの中心と、製品端面６の輪郭の線との距離は、２０ｍｍ以下が好ましく、１０ｍｍ以下がより好ましい。
【００３６】
本実施の形態では、図７において、緩衝部１１ａ，１１ｂ，１１ｃ，１１ｄは、全体として三角形の輪郭を有する。これにより、緩衝部１１ａ，１１ｂ，１１ｃ，１１ｄの全体としての強度を高くする上で、より有利になる。変形例として、緩衝部１１ａ，１１ｂ，１１ｃ，１１ｄが、全体として、三角形以外の多角形の輪郭を有する場合においても、類似の効果が得られる。
【００３７】
本実施の形態では、緩衝部１１ａ，１１ｂ，１１ｃ，１１ｄは、製品端面６のうちの低強度部７には接しないように配置されている。これにより、落下時の衝撃が低強度部７に加わることを防止できるので、製品１が損傷することをより確実に防止できる。
【００３８】
本実施の形態では、緩衝部１１ａ，１１ｂ，１１ｃ，１１ｄを形成する段ボールのフルートの溝は、長手方向に沿って延びる。面方向の圧縮に対する段ボールの強度は、フルートの溝に平行な方向の方が、フルートの溝に直交する方向よりも高い。本実施の形態であれば、落下時の緩衝部１１ａ，１１ｂ，１１ｃ，１１ｄに対して、そのフルートの溝に平行な方向から荷重が作用する。このため、緩衝部１１ａ，１１ｂ，１１ｃ，１１ｄの強度が高くなり、衝撃をより確実に吸収できる。
【００３９】
図７において、緩衝部１１ａ，１１ｂ，１１ｃ，１１ｄの全体が製品端面６の輪郭の内側にある。これにより、落下時に緩衝部１１ａ，１１ｂ，１１ｃ，１１ｄの全体が確実に緩衝効果を発揮するという利点がある。仮に、緩衝部１１ａ，１１ｂ，１１ｃ，１１ｄの一部が製品端面６の輪郭の外側にあると、その外側にある部分は緩衝効果を十分に発揮しないので、全体としての緩衝効果が低下する可能性がある。
【００４０】
段ボールシートは、折り曲げた方向とは逆方向に戻ろうとする力が働く。本実施の形態では、緩衝部１１ｄが緩衝部１１ａに平行に接する位置に形成されているため、折り曲げた方向と逆方向に緩衝部１１ｄが戻ろうとする力は緩衝部１１ａによって抑えられる。このため、接着等の固定手段を特に用いることなく、緩衝部１１ａ，１１ｂ，１１ｃ，１１ｄの三角形の構造を維持することが可能である。
【００４１】
本実施の形態では、製品１の一つの製品端面６に対して、緩衝部１１ａ，１１ｂ，１１ｃ，１１ｄからなる緩衝部の組が二組配置される。このような構成に代えて、製品１の一つの製品端面６に対して、一組の緩衝部を配置する構成としてもよい。その場合、一組の緩衝部の形状は、製品端面６の輪郭よりもわずかに小さい相似形状にするとよい。例えば、本実施の形態のように、製品端面６の輪郭が台形に近い六角形である場合には、一組の緩衝部の形状を、台形、または台形に近い六角形の形状としてもよい。また、本実施の形態では、罫線１０４ａ，１０４ｂ，１０４ｃ，１０４ｄを折り曲げて緩衝部１１ａ，１１ｂ，１１ｃ，１１ｄを形成しているが、折り目を付けることなくシートを湾曲させることで緩衝部を形成してもよい。
【００４２】
図４に示すように、保護部２０は、製品１の端部に近い部分の上面を覆う。支持片２１は、製品１の端部に近い部分の側面を覆う。本実施の形態では、保護部２０及び支持片２１を備えたことで、以下の効果が得られる。製品１を包装した包装材２が長手方向以外の向きで落下された場合、例えば、側面部４または上面部５を下にして落下された場合でも、保護部２０及び支持片２１の少なくとも一方が緩衝材の役割を果たし、製品１を衝撃から保護可能である。
【符号の説明】
【００４３】
１  製品、  ２  包装材、  ３  土台部、  ４  側面部、  ５  上面部、  ６  製品端面、  ７  低強度部、  ８  第一部分、  ９  第二部分、  １０  縦壁部、  １１ａ，１１ｂ，１１ｃ，１１ｄ  緩衝部、  １２  第三部分、  １３  第四部分、  ２０  保護部、  ２１  支持片、  １００，１０１，１０２，１０３，１０４ａ，１０４ｂ，１０４ｃ，１０４ｄ，１０５  罫線
【図１】
2019182514.tif 000003
【図２】
2019182514.tif 000004
【図３】
2019182514.tif 000005
【図４】
2019182514.tif 000006
【図５】
2019182514.tif 000007
【図６】
2019182514.tif 000008
【図７】
2019182514.tif 000009